(57)【要約】  本技術は、再生中のコンテンツの音声の出力を適切に制御することができるようにする情報処理端末、情報処理方法、およびプログラムに関する。本技術の情報処理端末は、実行中の複数のアプリケーションの画面をそれぞれ異なる表示領域に同時に表示するモードが設定され、第１のアプリケーションによる再生中のコンテンツの映像を第１の表示領域に表示させるとともに、第２のアプリケーションの画面を第２の表示領域に表示させている場合において、第２のアプリケーションによる音の出力が開始されるとき、再生中のコンテンツが、記録済みのコンテンツであるときにはコンテンツの再生を停止させ、ライブ視聴のコンテンツであるときには、コンテンツの再生を継続させ、再生が継続されたコンテンツの映像を第１の表示領域に表示させ続け、音声をミュートさせる。本技術は、ディスプレイを有する各種の装置に適用することができる。
2018061836.tif 000002
【特許請求の範囲】
【請求項１】
映像と音声を含むコンテンツを再生する再生部と、
ディスプレイの表示モードとして、前記コンテンツの再生を管理する第１のアプリケーションを含む、実行中の複数のアプリケーションの画面をそれぞれ異なる表示領域に同時に表示するモードが設定され、再生中の前記コンテンツの映像を第１の表示領域に表示させるとともに、第２のアプリケーションの画面を第２の表示領域に表示させている場合において、前記第２のアプリケーションによる音の出力が開始されるとき、再生中の前記コンテンツが、記録済みのコンテンツであるときには前記コンテンツの再生を停止させ、ライブ視聴のコンテンツであるときには、前記コンテンツの再生を継続させる再生制御部と、
再生が継続された前記コンテンツの映像を前記第１の表示領域に表示させ続け、音声をミュートさせる出力制御部と
を備える情報処理端末。
【請求項２】
前記再生制御部は、前記第２のアプリケーションが音の出力を伴わないアプリケーションであり、ユーザが前記第２のアプリケーションの操作を行った場合、再生中の前記コンテンツが記録済みのコンテンツであるときであっても、前記コンテンツの再生を継続させる
請求項１に記載の情報処理端末。
【請求項３】
前記再生制御部は、記録済みの前記コンテンツの再生を停止している場合において、前記第１の表示領域に対する操作が行われたとき、記録済みの前記コンテンツの再生を再開し、
前記出力制御部は、再生が再開された前記コンテンツの映像の表示と音声の出力を再開させる
請求項１に記載の情報処理端末。
【請求項４】
前記出力制御部は、記録済みの前記コンテンツの再生が停止されている間、再生が停止される前の１フレームの映像を、静止画として前記第１の表示領域に表示させ続ける
請求項１に記載の情報処理端末。
【請求項５】
前記出力制御部は、ライブ試聴の前記コンテンツの音声をミュートさせている場合において、前記第１の表示領域に対する操作が行われたとき、音声の出力を再開させる
請求項１に記載の情報処理端末。
【請求項６】
映像と音声を含むコンテンツを再生し、
ディスプレイの表示モードとして、前記コンテンツの再生を管理する第１のアプリケーションを含む、実行中の複数のアプリケーションの画面をそれぞれ異なる表示領域に同時に表示するモードが設定され、再生中の前記コンテンツの映像を第１の表示領域に表示させるとともに、第２のアプリケーションの画面を第２の表示領域に表示させている場合において、前記第２のアプリケーションによる音の出力が開始されるとき、再生中の前記コンテンツが、記録済みのコンテンツであるときには前記コンテンツの再生を停止させ、
ライブ視聴のコンテンツであるときには、前記コンテンツの再生を継続させ、
再生が継続された前記コンテンツの映像を前記第１の表示領域に表示させ続け、音声をミュートさせる
ステップを含む情報処理方法。
【請求項７】
映像と音声を含むコンテンツを再生し、
ディスプレイの表示モードとして、前記コンテンツの再生を管理する第１のアプリケーションを含む、実行中の複数のアプリケーションの画面をそれぞれ異なる表示領域に同時に表示するモードが設定され、再生中の前記コンテンツの映像を第１の表示領域に表示させるとともに、第２のアプリケーションの画面を第２の表示領域に表示させている場合において、前記第２のアプリケーションによる音の出力が開始されるとき、再生中の前記コンテンツが、記録済みのコンテンツであるときには前記コンテンツの再生を停止させ、
ライブ視聴のコンテンツであるときには、前記コンテンツの再生を継続させ、
再生が継続された前記コンテンツの映像を前記第１の表示領域に表示させ続け、音声をミュートさせる
ステップを含む処理をコンピュータに実行させるプログラム。
【発明の詳細な説明】
【技術分野】
【０００１】
本技術は、情報処理端末、情報処理方法、およびプログラムに関し、特に、再生中のコンテンツの音声の出力を適切に制御することができるようにした情報処理端末、情報処理方法、およびプログラムに関する。
【背景技術】
【０００２】
スマートフォンやタブレット端末などの携帯端末を使ってテレビジョン番組を視聴することがよく行われている。例えば、ユーザは、家にある録画装置で録画した番組を携帯端末に転送して内蔵のメモリに記憶させておくことによって、録画番組を外出先でも視聴することができる。【０００３】
また、ユーザは、録画装置が受信した放送中の番組を携帯端末にリアルタイムで転送させることによって、チューナなどが搭載されていない携帯端末をテレビジョン受像機のように用いて放送中の番組を視聴することができる。
【先行技術文献】
【特許文献】
【０００４】
【特許文献１】特開２０１３−０６２６５３号公報
【発明の概要】
【発明が解決しようとする課題】
【０００５】
携帯端末に搭載されたディスプレイの大型化や高解像度化によって、今後、携帯端末のディスプレイに複数のアプリケーションの画面を同時に表示させて用いることが一般的になるものと考えられる。【０００６】
本技術はこのような状況に鑑みてなされたものであり、再生中のコンテンツの音声の出力を適切に制御することができるようにするものである。
【課題を解決するための手段】
【０００７】
本技術の一側面の情報処理端末は、映像と音声を含むコンテンツを再生する再生部と、ディスプレイの表示モードとして、前記コンテンツの再生を管理する第１のアプリケーションを含む、実行中の複数のアプリケーションの画面をそれぞれ異なる表示領域に同時に表示するモードが設定され、再生中の前記コンテンツの映像を第１の表示領域に表示させるとともに、第２のアプリケーションの画面を第２の表示領域に表示させている場合において、前記第２のアプリケーションによる音の出力が開始されるとき、再生中の前記コンテンツが、記録済みのコンテンツであるときには前記コンテンツの再生を停止させ、ライブ視聴のコンテンツであるときには、前記コンテンツの再生を継続させる再生制御部と、再生が継続された前記コンテンツの映像を前記第１の表示領域に表示させ続け、音声をミュートさせる出力制御部とを備える。【０００８】
前記再生制御部には、前記第２のアプリケーションが音の出力を伴わないアプリケーションであり、ユーザが前記第２のアプリケーションの操作を行った場合、再生中の前記コンテンツが記録済みのコンテンツであるときであっても、前記コンテンツの再生を継続させることができる。【０００９】
前記再生制御部には、記録済みの前記コンテンツの再生を停止している場合において、前記第１の表示領域に対する操作が行われたとき、記録済みの前記コンテンツの再生を再開させ、前記出力制御部には、再生が再開された前記コンテンツの映像の表示と音声の出力を再開させることができる。【００１０】
前記出力制御部には、記録済みの前記コンテンツの再生が停止されている間、再生が停止される前の１フレームの映像を、静止画として前記第１の表示領域に表示させ続けることができる。【００１１】
前記出力制御部には、ライブ試聴の前記コンテンツの音声をミュートさせている場合において、前記第１の表示領域に対する操作が行われたとき、音声の出力を再開させることができる。【００１２】
本技術の一側面においては、ディスプレイの表示モードとして、前記コンテンツの再生を管理する第１のアプリケーションを含む、実行中の複数のアプリケーションの画面をそれぞれ異なる表示領域に同時に表示するモードが設定され、再生中の前記コンテンツの映像を第１の表示領域に表示させるとともに、第２のアプリケーションの画面を第２の表示領域に表示させている場合において、前記第２のアプリケーションによる音の出力が開始されるとき、再生中の前記コンテンツが、記録済みのコンテンツであるときには前記コンテンツの再生が停止され、ライブ視聴のコンテンツであるときには、前記コンテンツの再生が継続される。また、再生が継続された前記コンテンツの映像が前記第１の表示領域に表示され続け、音声がミュートされる。
【発明の効果】
【００１３】
本技術によれば、再生中のコンテンツの音声の出力を適切に制御することができる。【００１４】
なお、ここに記載された効果は必ずしも限定されるものではなく、本開示中に記載されたいずれかの効果であってもよい。
【図面の簡単な説明】
【００１５】
【図１】本技術の一実施形態に係るコンテンツ視聴システムの構成例を示す図である。
【図２】番組の視聴画面の例を示す図である。
【図３】番組の視聴画面の他の例を示す図である。
【図４】マルチウインドウモードでの表示例を示す図である。
【図５】アプリケーションの例を示す図である。
【図６】マルチウインドウモードでの他の表示例を示す図である。
【図７】TV視聴アプリケーションによる番組再生中の表示例を示す図である。
【図８】携帯端末のハードウェア構成例を示すブロック図である。
【図９】携帯端末の機能構成例を示すブロック図である。
【図１０】TV視聴アプリケーションの動作について説明するフローチャートである。
【発明を実施するための形態】
【００１６】
以下、本技術を実施するための形態について説明する。説明は以下の順序で行う。
１．コンテンツ視聴システムについて
２．表示画面について
３．携帯端末の構成例
４．携帯端末の動作
５．変形例
【００１７】
＜１．コンテンツ視聴システムについて＞
図１は、本技術の一実施形態に係るコンテンツ視聴システムの構成例を示す図である。
【００１８】
図１のコンテンツ視聴システムは、携帯端末１と録画装置２から構成される。携帯端末１は、スマートフォンやタブレット端末などの携帯型の情報処理端末である。携帯端末１の筐体の表面には、例えばタッチパネルの機能を有するディスプレイ１１が設けられる。携帯端末１のユーザは、ディスプレイ１１に表示された画面に指などで直接触れることによって、携帯端末１の操作を行うことができる。
【００１９】
録画装置２は、HDD(Hard Disk Drive)、SSD(Solid State Drive)などの記録媒体を内蔵し、テレビジョン番組（以下、単に、番組という）の録画機能を有する装置である。例えば、録画装置２は、携帯端末１のユーザの自宅に設置される。録画装置２は、放送波を用いた伝送路、または、インターネットなどの通信を用いた伝送路を介して放送された番組のデータを受信し、記録媒体に記録する（録画する）。
【００２０】
双方向の矢印に示されるように、携帯端末１と録画装置２は、家庭内のLAN(Local Area Network)、インターネットなどのネットワークを介して通信を行うことができる。携帯端末１と録画装置２の間では、相互に通信を行うための設定が予め行われている。
【００２１】
携帯端末１のユーザは、録画装置２により録画された録画済み番組のデータを携帯端末１に転送して携帯端末１の内部のメモリに記憶させておき、外出先などで、録画済み番組を視聴することができる。
【００２２】
ユーザが携帯端末１を操作し、例えば録画済み番組のリストから所定の番組を選択したとき、番組のデータがメモリから読み出され、再生が開始される。録画済み番組の映像はディスプレイ１１に表示され、音声は図示せぬスピーカから出力される。
【００２３】
また、携帯端末１のユーザは、放送中の番組のデータを記録することなく録画装置２から携帯端末１にリアルタイムで転送させ、自宅や外出先で、放送中の番組を視聴することができる。
【００２４】
ユーザが携帯端末１を操作し、例えば番組表から放送中の所定の番組を選択したとき、携帯端末１から録画装置２に制御コマンドが送信され、録画装置２において、番組の受信と、携帯端末１に対する番組の送信が開始される。携帯端末１においては、録画装置２から送信されてきた番組が受信され、番組の再生が開始される。放送中の番組の映像はディスプレイ１１に表示され、音声はスピーカから出力される。
【００２５】
このように、携帯端末１には、録画装置２により録画された録画済み番組の視聴を管理するとともに、録画装置２により受信された放送中の番組の視聴を管理するためのプログラムであるTV視聴アプリケーションがインストールされている。図１のディスプレイ１１に表示されている録画済み番組または放送中の番組の映像は、起動中のTV視聴アプリケーションにより表示されている映像である。
【００２６】
以下、適宜、放送波または通信の伝送路を介して放送された番組であって、録画装置２が録画しないでそのまま携帯端末１に送信することで携帯端末１において視聴することができるようにした番組を、ライブ視聴番組という。
【００２７】
ライブ視聴番組は、放送側で予め決められたスケジュールに従って放送された番組である。放送側で予め決められたスケジュールに従って放送される番組であるので、一度、映像の再生を停止した後に、映像の再生を指示すると、停止した箇所から映像が再生されるのではなく、映像の再生を指示したときのライブ映像から再生されることになる。よって、ネットワーク上のサーバから通信の伝送路を介して配信された番組も、ライブで配信されている場合にはライブ視聴番組となる。なお、「配信」には「放送」も含まれる。
【００２８】
＜２．表示画面について＞
図２は、番組の視聴画面の例を示す図である。
【００２９】
図２の視聴画面は、携帯端末１をユーザが横向きで持っているときの画面である。ディスプレイ１１の表示領域のうち、上縁と右縁に沿って所定幅の帯状の領域２２Ａ，２２Ｂが形成され、それ以外の横長の領域である表示領域２１全体に番組の映像が表示される。
【００３０】
表示領域２１の下方には、番組の映像に重ねて、操作パネル３１が表示される。操作パネル３１には、一時停止、早送り、巻き戻し、チャプタの移動などの各種の操作を行うときに操作されるボタンなどが表示される。すなわち、図２の表示領域２１に表示されている番組は録画済み番組である。
【００３１】
表示領域２１に表示されている番組がライブ視聴番組である場合、操作パネル３１には、チャンネルを切り替えるときに操作されるボタンなどが表示される。
【００３２】
なお、領域２２Ａは時刻やインジケータなどが表示される領域である。領域２２Ｂは、ホーム画面を表示させるときに操作されるアイコンなどが表示される領域である。
【００３３】
図３は、番組の視聴画面の他の例を示す図である。
【００３４】
図３の視聴画面は、携帯端末１をユーザが縦向きで持っているときの画面である。図３の視聴画面の例においては、ディスプレイ１１の略中央に表示領域２１が形成され、その下に操作パネル３１が表示される。領域２２Ａと領域２２Ｂは、それぞれ、ディスプレイ１１の上下の縁に沿って形成される。
【００３５】
このように、ユーザは、携帯端末１を横向きにした状態でも、縦向きにした状態でも、番組を視聴することができる。
【００３６】
携帯端末１のOS(Operating System)には、領域２２Ａ，２２Ｂを除く表示領域２１を複数の表示領域に分割し、それぞれの表示領域に異なるアプリケーションの画面を表示させる、いわゆるマルチウインドウ機能が搭載されている。
【００３７】
携帯端末１の表示モードには、図２，３に示すように１つのアプリケーションの画面を表示させるシングルウインドウモードと、複数のアプリケーションの画面を同時に表示させるマルチウインドウモードが用意されることになる。
【００３８】
図４は、マルチウインドウモードでの表示例を示す図である。
【００３９】
図４の例においては、太枠で囲んで示すように、ウインドウＡ１が画面の上方に形成され、ウインドウＡ２が画面の下方に形成されている。ウインドウＡ２は横×縦の画素数の比が16:9の表示領域であり、ウインドウＡ１は残りの縦長長方形の表示領域である。
【００４０】
また、図４の例においては、ウインドウＡ１には所定のWebページが表示され、ウインドウＡ２には番組の映像が表示されている。ウインドウＡ１の表示はWebブラウザによるものであり、ウインドウＡ２の表示はTV視聴アプリケーションによるものである。
【００４１】
ウインドウＡ１にWebページが表示されている間も、番組の再生は継続され、ウインドウＡ２には番組の映像が動画として表示され続ける。マルチウインドウモードの設定中、番組の映像には、操作パネル３１が重ねて表示される。
【００４２】
これにより、ユーザは、ウインドウＡ２で番組を見ながら、ウインドウＡ１にWebページを表示させて調べ物などの作業を行うことができる。なお、Webページの閲覧中、携帯端末１のスピーカからは、ウインドウＡ２の映像の表示に合わせて、番組の音声の出力も続けられている。
【００４３】
図５に示すように、携帯端末１には、TV視聴アプリケーションとWebブラウザの他に、メール管理アプリケーション、音楽再生アプリケーション、Web動画再生アプリケーションなどの、OS上で動作する各種のアプリケーションがインストールされている。
【００４４】
ユーザは、Webブラウザによる表示に代えて、他のアプリケーションの画面をウインドウＡ１に表示させることもできる。
【００４５】
メール管理アプリケーションはメーラーであり、電子メールの送受信を管理する。
【００４６】
音楽再生アプリケーションは、携帯端末１のメモリに記憶されている音楽データや、インターネットを介して受信した音楽データを再生し、携帯端末１のスピーカから音楽を出力させる。
【００４７】
Web動画再生アプリケーションは、Web動画（動画コンテンツ）の配信サービスを提供するサーバにアクセスし、ストリーミングにより、またはダウンロードにより取得した動画コンテンツを再生する。再生したWeb動画の映像はディスプレイ１１に表示され、音声はスピーカから出力される。
【００４８】
図６は、マルチウインドウモードでの他の表示例を示す図である。
【００４９】
図６のＡの表示形式は、横×縦の画素数の比が16:9の表示領域であるウインドウＡ１を画面の上方に形成し、残りの縦長長方形の表示領域をウインドウＡ２として画面の下方に形成する形式である。図６のＢの表示形式は、領域２２Ａと領域２２Ｂを除く表示領域２１全体を上下に２等分して、ウインドウＡ１とウインドウＡ２を形成する形式である。
【００５０】
このように、マルチウインドウモードの表示形式には複数種類の形式が用意される。マルチウインドウモードとシングルウインドウモードの表示モードだけでなく、マルチウインドウモード設定時の表示形式もOSにより設定される。
【００５１】
マルチウインドウモードの表示形式として、図６に示すように複数の表示領域を隙間なく並べる形成だけでなく、隙間を空けて、複数の表示領域を任意の位置に配置する形式が用いられるようにしてもよい。また、１つの表示領域の内側に、それより小さい他の表示領域を配置するいわゆるＰｉｎＰ形式が用いられるようにしてもよい。
【００５２】
さらに、表示領域の数も２つに限定されるものではなく、３つ以上の表示領域が形成されるようにしてもよい。マルチウインドウモードでの画面表示は、携帯端末１が横向きで用いられているときにも行われる。
【００５３】
図７は、TV視聴アプリケーションによる番組再生中の表示例を示す図である。
【００５４】
図７の画面の上方に形成されたウインドウＡ１には、TV視聴アプリケーションの画面として、再生中の番組の映像が表示されている。一方、画面の下方に形成されたウインドウＡ２には、Web動画再生アプリケーションの画面が表示されている。図７の画面の表示形式は、図６のＡに示す表示形式である。
【００５５】
この状態において、ユーザがウインドウＡ２の表示を操作し、あるWeb動画の再生を開始させた場合、TV視聴アプリケーションによる再生中の番組が録画済み番組であるときには、矢印の先に示すように録画済み番組の再生が一時停止される（pause状態になる）。ウインドウＡ１には、最後に再生された１フレームの映像が静止画として表示された状態となり、音声の出力も停止する。
【００５６】
ウインドウＡ２には、ユーザが再生を指示したWeb動画の映像が表示され、スピーカからは、映像の表示に合わせて、Web動画の音声が出力される。
【００５７】
これにより、ユーザは、録画済み番組の視聴を中断して、Web動画を視聴することができる。
【００５８】
一方、Web動画の再生を開始させた場合において、TV視聴アプリケーションによる再生中の番組がライブ視聴番組であるときには、ライブ視聴番組の再生は継続され、矢印の先に示すように音声がミュートされる。音声は出力されないものの、ウインドウＡ１にはライブ視聴番組の映像が動画として表示され続ける。
【００５９】
ウインドウＡ２には、ユーザが再生を指示したWeb動画の映像が表示され、スピーカからは、映像の表示に合わせて、Web動画の音声が出力される。
【００６０】
これにより、ユーザは、ライブ視聴番組の映像を表示させ続けながら、Web動画をも視聴することができる。
【００６１】
すなわち、音の出力を伴うアプリケーションがTV視聴アプリケーションによる番組の再生中に実行されており、そのアプリケーションが音の出力を開始する場合、再生中の番組が、録画済み番組であるのかライブ視聴番組であるのかに応じて、携帯端末１の挙動が異なることになる。
【００６２】
Web動画再生アプリケーションは、動画コンテンツの音の出力を伴うアプリケーションである。例えば、TV視聴アプリケーションとともに実行中のアプリケーションが音楽再生アプリケーションである場合も同様である。音楽再生アプリケーションも、音楽コンテンツの音の出力を伴うアプリケーションである。
【００６３】
番組の再生中に、音楽再生アプリケーションの画面がウインドウＡ２に表示されており、音楽再生アプリケーションにより所定の音楽の再生が開始された場合、再生中の番組が録画済み番組であるときには、録画済み番組の再生が停止される。スピーカからは、録画済み番組の音声に代えて、新たに再生が開始された音楽が出力されることになる。
【００６４】
一方、再生中の番組がライブ視聴番組であるときには、ライブ視聴番組の音声のみミュートされ、ウインドウＡ１のライブ視聴番組の映像の表示は継続される。スピーカからは、ライブ視聴番組の音声に代えて、新たに再生が開始された音楽が出力されることになる。
【００６５】
TV視聴アプリケーションとともに実行されているアプリケーションがWebブラウザやメール管理アプリケーションのように音の出力を伴わないアプリケーションである場合は、以上のような制御は行われない。
【００６６】
このようにTV視聴アプリケーションとともに実行中のアプリケーションが音の出力を伴うものであるのか否か、および、再生中の番組が録画済み番組であるのかライブ視聴番組であるのかに応じて動作を変えることにより、ユーザの意図に適した制御が可能になる。
【００６７】
すなわち、複数のアプリケーションを同時に起動させている場合、ユーザは、後から操作したアプリケーションの方に、より注目しているものと考えられる。
【００６８】
後から操作したアプリケーションの方に注目しているといっても、そのアプリケーションが音の出力を伴わないものである場合、音声の出力を含めて番組の再生を続けても、注目しているアプリケーションの操作に影響がないと考えられる。むしろ、音声の出力を含めて番組の再生を続けた方が、番組を視聴しながら作業を行うことができ、ユーザにとって好ましい。
【００６９】
一方、後から操作したアプリケーションが音の出力を伴うものである場合、ユーザが注目している、そのアプリケーションによる音の出力を優先させるべきである。
【００７０】
このとき、再生中の番組が録画済み番組である場合、録画してまで視聴しているということを考慮すると、番組を一部も見逃さないで済むことから、番組を視聴することに再び注目するまで、番組の再生を停止させた方が好ましい。また、再生中の番組がライブ視聴番組である場合、番組の雰囲気をつかみ続けることはできるから、音声はミュートさせるものの、映像は表示し続けた方が好ましい。
【００７１】
以上のようにして停止した録画済み番組の再生は、ユーザが、例えばウインドウＡ１の表示を操作して一時停止の解除を指示したときに再開される。また、ミュートしたライブ視聴番組の音声の出力は、ユーザが、例えばウインドウＡ１の番組の映像をタップしたときに再開される。ユーザが番組の視聴に再度注目したとき、ウインドウＡ２の表示に対して操作を行う前と同じ状態に戻ることになる。
【００７２】
以上のように、音声の出力が競合する場合に、後の操作を優先するようにして番組の再生を制御する携帯端末１の一連の処理についてはフローチャートを参照して後述する。
【００７３】
＜３．携帯端末の構成例＞
図８は、携帯端末１のハードウェア構成例を示すブロック図である。
【００７４】
CPU(Central Processing Unit)１０１、ROM(Read Only Memory)１０２、RAM(Random Access Memory)１０３は、バス１０４により相互に接続されている。
【００７５】
バス１０４には、さらに、入出力インタフェース１０５が接続される。入出力インタフェース１０５には、ディスプレイ１１の他に、タッチパネル１０６、スピーカ１０７、カメラ１０８、フラッシュメモリ１０９、通信部１１０、およびドライブ１１１が接続される。
【００７６】
タッチパネル１０６は、ディスプレイ１１の表面に対するユーザの操作を検出し、ユーザの操作の内容を表す情報を出力する。
【００７７】
スピーカ１０７は、再生中の番組の音声、Web動画の音声、音楽などの各種の音を出力する。
【００７８】
カメラ１０８は、ユーザの操作に応じて撮影を行い、画像データを出力する。
【００７９】
フラッシュメモリ１０９は、CPU１０１が実行するプログラム、録画装置２から転送された録画済み番組のデータなどの各種のデータを記憶する。
【００８０】
通信部１１０は、無線通信のインタフェースである。通信部１１０は、録画装置２や、インターネットを介して接続されるサーバなどの外部の装置と通信を行う。
【００８１】
ドライブ１１１は、メモリカードなどのリムーバブルメディア１１２を駆動し、リムーバブルメディア１１２に対するデータの書き込み、リムーバブルメディア１１２に記憶されているデータの読み出しを行う。録画装置２による録画済み番組のデータの提供が、リムーバブルメディア１１２を介して行われるようにしてもよい。
【００８２】
図９は、携帯端末１の機能構成例を示すブロック図である。
【００８３】
図９に示す機能部のうちの少なくとも一部は、図８のCPU１０１によりTV視聴アプリケーションが実行されることによって実現される。携帯端末１においては、図５に示す各種のプログラムがCPU１０１により実行され、それにより、他の機能部も実現される。
【００８４】
TV視聴アプリケーションが実行されることにより、携帯端末１においては、制御部１３１、番組データ取得部１３２、再生部１３３、および出力制御部１３４が実現される。再生部１３３は、ビデオデコーダ１４１とオーディオデコーダ１４２から構成される。また、出力制御部１３４は、表示制御部１５１、および音声出力制御部１５２から構成される。
【００８５】
制御部１３１は、再生部１３３による番組データの再生、表示制御部１５１による番組の映像の表示、および、音声出力制御部１５２による番組の音声の出力をそれぞれ制御する。
【００８６】
制御部１３１による制御は、例えば、TV視聴アプリケーションとともに実行中の他のアプリケーションの種類（音の出力を伴うアプリケーションであるか否か）に応じて行われる。また、制御部１３１による制御は、他のアプリケーションが音の出力を伴うものである場合に、そのアプリケーションから、音声の出力を開始することの通知を受けたことに応じて行われる。
【００８７】
番組データ取得部１３２は、再生対象とする番組のデータを取得する。番組データ取得部１３２は、録画済み番組を再生する場合、録画済み番組のデータをフラッシュメモリ１０９やリムーバブルメディア１１２から読み出して取得する。また、番組データ取得部１３２は、ライブ視聴番組を再生する場合、録画装置２から送信されてきたライブ視聴番組のデータを通信部１１０を制御して受信し、取得する。
【００８８】
番組データ取得部１３２は、録画済み番組またはライブ視聴番組のデータからビデオデータを抽出して再生部１３３のビデオデコーダ１４１に出力し、オーディオデータを抽出してオーディオデコーダ１４２に出力する。
【００８９】
再生部１３３のビデオデコーダ１４１は、録画済み番組またはライブ視聴番組のビデオデータをデコードし、デコードして得られた番組の映像のデータを表示制御部１５１に出力する。
【００９０】
オーディオデコーダ１４２は、録画済み番組またはライブ視聴番組のオーディオデータをデコードし、デコードして得られた番組の音声のデータを音声出力制御部１５２に出力する。
【００９１】
表示制御部１５１は、ビデオデコーダ１４１から供給されたデータに基づいて、番組の映像をディスプレイ１１に表示させる。
【００９２】
音声出力制御部１５２は、オーディオデコーダ１４２から供給されたデータに基づいて、番組の音声をスピーカ１０７から出力させる。
【００９３】
＜４．携帯端末の動作＞
次に、図１０のフローチャートを参照して、ディスプレイ１１の表示モードとしてマルチウインドウモードが設定されている場合のTV視聴アプリケーションの動作について説明する。
【００９４】
ディスプレイ１１の表示モードは、例えばユーザの操作に応じてOSにより設定される。マルチウインドウモードが設定されている場合、TV視聴アプリケーションの他に、他のアプリケーションがCPU１０１により実行される。
【００９５】
ここでは、TV視聴アプリケーションとともに実行されている他のアプリケーションが、音の出力を伴うアプリケーションであるものとする。
【００９６】
また、番組データ取得部１３２により番組のデータが取得され、その再生が再生部１３３により行われているものとする。再生中の番組の映像は、表示制御部１５１により、ディスプレイ１１の例えばウインドウＡ１に表示され、番組の音声は、音声出力制御部１５２により、スピーカ１０７から出力される。
【００９７】
この場合、TV視聴アプリケーションとともに実行中の、音の出力を伴う他のアプリケーションの画面はウインドウＡ２に表示される。TV視聴アプリケーションの画面がウインドウＡ２に表示され、他のアプリケーションの画面がウインドウＡ１に表示されるようにしてもよい。
【００９８】
ステップＳ１において、制御部１３１は、他のアプリケーションから出力された、音の出力を開始することの通知を受信する。
【００９９】
例えば、音の出力を伴うアプリケーションであるWeb動画再生アプリケーションからは、ユーザが、所定のWeb動画の再生を開始する操作を行った場合に、そのような通知が出力される。また、音楽再生アプリケーションからは、ユーザが、所定の音楽の再生を開始する操作を行った場合に、そのような通知が出力される。コンテンツを探すための操作などの、音の出力を開始させる操作以外の操作をユーザがウインドウＡ２の表示に対して行っている間は、音の出力を開始することの通知は出力されない。
【０１００】
ステップＳ２において、制御部１３１は、再生中の番組が録画済み番組であるか否かを判定する。
【０１０１】
再生中の番組が録画済み番組であるとステップＳ２において判定した場合、ステップＳ３において、制御部１３１は、録画済み番組の再生を停止させる。制御部１３１は、ビデオデコーダ１４１にビデオデータのデコードを停止させ、オーディオデコーダ１４２にオーディオデータのデコードを停止させる。表示制御部１５１は、最後に出力した１フレームの映像を静止画としてウインドウＡ１に表示させ続ける。
【０１０２】
録画済み番組の再生が停止されることに応じて、他のアプリケーションは、スピーカ１０７から音を出力させることを開始する。
【０１０３】
ステップＳ４において、制御部１３１は、一時停止の解除（再生開始）が指示された否かを判定する。一時停止の状態は、例えば、ユーザが、TV視聴アプリケーションの画面に表示されている再生ボタンを押したときに解除される。制御部１３１は、一時停止の解除が指示されていないとステップＳ４において判定した場合、ステップＳ３に戻り、録画済み番組の再生を停止させ続ける。
【０１０４】
一方、ステップＳ４において、制御部１３１は、再生ボタンが押されたことから、一時停止の解除が指示されたと判定した場合、ステップＳ５に進み、録画済み番組の再生を再開させる。再生ボタンを押すのではなく、停止中の番組の映像をタップすることにより、一時停止の状態が解除されるようにしてもよい。
【０１０５】
制御部１３１は、ビデオデコーダ１４１にビデオデータのデコードを再開させ、オーディオデコーダ１４２にオーディオデータのデコードを再開させる。表示制御部１５１は、ビデオデコーダ１４１から供給されたデータに基づいて番組の映像を動画としてウインドウＡ１に表示させ、音声出力制御部１５２は、オーディオデコーダ１４２から供給されたデータに基づいて番組の音声をスピーカ１０７から出力させる。その後、処理は終了となる。
【０１０６】
再生中の番組が録画済み番組ではなく、ライブ視聴番組であるとステップＳ２において判定した場合、ステップＳ６において、制御部１３１は、ライブ視聴番組の映像の出力を継続させ、音声をミュートさせる。
【０１０７】
すなわち、制御部１３１は、ビデオデコーダ１４１にビデオデータのデコードを継続させ、表示制御部１５１に、ライブ視聴番組の映像を動画として表示させ続ける。また、制御部１３１は、オーディオデコーダ１４２にオーディオデータのデコードを継続させ、音声出力制御部１５２に音声をミュートさせる（遮断させる）。
【０１０８】
音声がミュートされることに応じて、他のアプリケーションは、スピーカ１０７から音を出力させることを開始する。
【０１０９】
ステップＳ７において、制御部１３１は、TV視聴アプリケーションの画面として表示されている番組の映像がタップされた否かを判定する。制御部１３１は、タップされていないとステップＳ７において判定した場合、ステップＳ６に戻り、ライブ視聴番組の音声のミュートを続ける。
【０１１０】
一方、ステップＳ７において、制御部１３１は、ライブ視聴番組の映像がタップされたと判定した場合、ステップＳ８に進み、音声出力制御部１５２を制御することによって、音声の出力を再開させる。音声出力制御部１５２により、音声のミュートが解除され、スピーカ１０７からは、映像に合わせて、ライブ視聴番組の音声が出力される。その後、処理は終了となる。
【０１１１】
以上の処理により、再生中の番組の音声の出力を、実行中の他のアプリケーションの種類と再生中の番組の種類に応じて適切に制御することができる。
【０１１２】
＜５．変形例＞
以上においては、番組の再生中に、Web動画や音楽の再生が開始された場合に、録画済み番組の再生を停止したり、ライブ視聴番組の音声をミュートしたりするものとしたが、再生を停止したり音声をミュートさせるコンテンツは番組に限られない。
【０１１３】
すなわち、Web動画、音楽、ゲームなどの音声を含むコンテンツの再生中に、番組の再生が開始された場合、コンテンツの再生を停止させたり、コンテンツの音声をミュートさせたりしてもよい。
【０１１４】
他のアプリケーションからの、音の出力を開始することの通知がない場合、複数のアプリケーションの音が同時に出力されるようにしてもよい。
【０１１５】
携帯型の情報処理端末で番組を視聴する場合について説明したが、上述した機能は、番組を視聴するのに用いることが可能な各種の端末に適用可能である。例えば、テレビジョン受像機、録画装置、据え置き型または携帯型のゲーム機、セットトップボックス、パーソナルコンピュータなどの端末に適用することが可能である。
【０１１６】
また、以上においては、記録装置２が携帯端末１のユーザの自宅に設置される装置であるものとしたが、これに限らず、インターネット上のサーバを記録装置２としてもよい。また、サーバから放送される番組がライブ視聴番組ではない場合、いつでも再生できるので、録画済み番組と同様に扱ってもよい。
【０１１７】
＜プログラムの例＞
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または、汎用のパーソナルコンピュータなどにインストールされる。
【０１１８】
インストールされるプログラムは、半導体メモリなどよりなる図８に示されるリムーバブルメディア１１２に記録して提供される。また、ローカルエリアネットワーク、インターネット、デジタル放送といった、有線または無線の伝送媒体を介して提供されるようにしてもよい。プログラムは、ROM１０２やフラッシュメモリ１０９に、あらかじめインストールしておくことができる。
【０１１９】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１２０】
なお、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１２１】
本技術の実施の形態は、上述した実施の形態に限定されるものではなく、本技術の要旨を逸脱しない範囲において種々の変更が可能である。
【０１２２】
例えば、本技術は、１つの機能をネットワークを介して複数の装置で分担、共同して処理するクラウドコンピューティングの構成をとることができる。
【０１２３】
また、上述のフローチャートで説明した各ステップは、１つの装置で実行する他、複数の装置で分担して実行することができる。
【０１２４】
さらに、１つのステップに複数の処理が含まれる場合には、その１つのステップに含まれる複数の処理は、１つの装置で実行する他、複数の装置で分担して実行することができる。
【０１２５】
＜構成の組み合わせ例＞
本技術は、以下のような構成をとることもできる。
（１）
映像と音声を含むコンテンツを再生する再生部と、
ディスプレイの表示モードとして、前記コンテンツの再生を管理する第１のアプリケーションを含む、実行中の複数のアプリケーションの画面をそれぞれ異なる表示領域に同時に表示するモードが設定され、再生中の前記コンテンツの映像を第１の表示領域に表示させるとともに、第２のアプリケーションの画面を第２の表示領域に表示させている場合において、前記第２のアプリケーションによる音の出力が開始されるとき、再生中の前記コンテンツが、記録済みのコンテンツであるときには前記コンテンツの再生を停止させ、ライブ視聴のコンテンツであるときには、前記コンテンツの再生を継続させる再生制御部と、
再生が継続された前記コンテンツの映像を前記第１の表示領域に表示させ続け、音声をミュートさせる出力制御部と
を備える情報処理端末。
（２）
前記再生制御部は、前記第２のアプリケーションが音の出力を伴わないアプリケーションであり、ユーザが前記第２のアプリケーションの操作を行った場合、再生中の前記コンテンツが記録済みのコンテンツであるときであっても、前記コンテンツの再生を継続させる
前記（１）に記載の情報処理端末。
（３）
前記再生制御部は、記録済みの前記コンテンツの再生を停止している場合において、前記第１の表示領域に対する操作が行われたとき、記録済みの前記コンテンツの再生を再開し、
前記出力制御部は、再生が再開された前記コンテンツの映像の表示と音声の出力を再開させる
前記（１）または（２）に記載の情報処理端末。
（４）
前記出力制御部は、記録済みの前記コンテンツの再生が停止されている間、再生が停止される前の１フレームの映像を、静止画として前記第１の表示領域に表示させ続ける
前記（１）乃至（３）のいずれかに記載の情報処理端末。
（５）
前記出力制御部は、ライブ試聴の前記コンテンツの音声をミュートさせている場合において、前記第１の表示領域に対する操作が行われたとき、音声の出力を再開させる
前記（１）乃至（４）のいずれかに記載の情報処理端末。
（６）
映像と音声を含むコンテンツを再生し、
ディスプレイの表示モードとして、前記コンテンツの再生を管理する第１のアプリケーションを含む、実行中の複数のアプリケーションの画面をそれぞれ異なる表示領域に同時に表示するモードが設定され、再生中の前記コンテンツの映像を第１の表示領域に表示させるとともに、第２のアプリケーションの画面を第２の表示領域に表示させている場合において、前記第２のアプリケーションによる音の出力が開始されるとき、再生中の前記コンテンツが、記録済みのコンテンツであるときには前記コンテンツの再生を停止させ、
ライブ視聴のコンテンツであるときには、前記コンテンツの再生を継続させ、
再生が継続された前記コンテンツの映像を前記第１の表示領域に表示させ続け、音声をミュートさせる
ステップを含む情報処理方法。
（７）
映像と音声を含むコンテンツを再生し、
ディスプレイの表示モードとして、前記コンテンツの再生を管理する第１のアプリケーションを含む、実行中の複数のアプリケーションの画面をそれぞれ異なる表示領域に同時に表示するモードが設定され、再生中の前記コンテンツの映像を第１の表示領域に表示させるとともに、第２のアプリケーションの画面を第２の表示領域に表示させている場合において、前記第２のアプリケーションによる音の出力が開始されるとき、再生中の前記コンテンツが、記録済みのコンテンツであるときには前記コンテンツの再生を停止させ、
ライブ視聴のコンテンツであるときには、前記コンテンツの再生を継続させ、
再生が継続された前記コンテンツの映像を前記第１の表示領域に表示させ続け、音声をミュートさせる
ステップを含む処理をコンピュータに実行させるプログラム。
【符号の説明】
【０１２６】
１  情報処理端末，  ２  録画装置，  １３１  制御部，  １３２  番組データ取得部，  １３３  再生部,  １３４  出力制御部，  １４１  ビデオデコーダ,  １４２  オーディオデコーダ，  １５１  表示制御部，  １５２  音声出力制御部
【図１】
2018061836.tif 000003
【図２】
2018061836.tif 000004
【図３】
2018061836.tif 000005
【図４】
2018061836.tif 000006
【図５】
2018061836.tif 000007
【図６】
2018061836.tif 000008
【図７】
2018061836.tif 000009
【図８】
2018061836.tif 000010
【図９】
2018061836.tif 000011
【図１０】
2018061836.tif 000012
【国際調査報告】
2018061836.tif 000013
2018061836.tif 000014